(57)【要約】【解決手段】本技術に係るプロジェクタは、送風機構と、液晶ライトバルブと、入射側偏光板と、出射側偏光板とを具備する。前記送風機構は、冷却風を発生させる。前記入射側偏光板は、前記送風機構によって吹き付けられる前記冷却風に対して非平行な方向に延在するように形成された複数のワイヤを有し、前記液晶ライトバルブの光の入射側に配置される。前記出射側偏光板は、前記送風機構によって吹き付けられる前記冷却風に対して非平行な方向に延在するように形成された複数のワイヤを有し、前記液晶ライトバルブの光の出射側に配置される。【選択図】図９
2016125221.tif 000002
【特許請求の範囲】
【請求項１】
冷却風を発生させる送風機構と、
液晶ライトバルブと、
前記送風機構によって吹き付けられる前記冷却風に対して非平行な方向に延在するように形成された複数のワイヤを有し、前記液晶ライトバルブの光の入射側に配置された入射側偏光板と、
前記送風機構によって吹き付けられる前記冷却風に対して非平行な方向に延在するように形成された複数のワイヤを有し、前記液晶ライトバルブの光の出射側に配置された出射側偏光板と
を具備するプロジェクタ。
【請求項２】
請求項１に記載のプロジェクタであって、
前記入射側偏光板の出射面と、前記出射側偏光板の入射面との間に配置され、入射された光の偏光方向を変化させて出射する偏光変換板
をさらに具備するプロジェクタ。
【請求項３】
請求項２に記載のプロジェクタであって、
前記入射側偏光板の複数のワイヤが延在する方向、及び前記出射側偏光板の複数のワイヤが延在する方向は、前記冷却風に対して略直交する方向である
プロジェクタ。
【請求項４】
請求項２に記載のプロジェクタであって、
前記偏光変換板は、前記入射側偏光板の出射面又は前記液晶ライトバルブの入射面に設けられる
プロジェクタ。
【請求項５】
請求項４に記載のプロジェクタであって、
前記偏光変換板は、前記入射側偏光板の出射面に設けられる
プロジェクタ。
【請求項６】
請求項３に記載のプロジェクタであって、
前記入射側偏光板及び前記出射側偏光板は、同一形状の部材により形成される
プロジェクタ。
【請求項７】
液晶ライトバルブと、
前記送風機構によって吹き付けられる前記冷却風に対して非平行な方向に延在するように形成された複数のワイヤを有し、前記液晶ライトバルブの光の入射側に配置された入射側偏光板と、
前記送風機構によって吹き付けられる前記冷却風に対して非平行な方向に延在するように形成された複数のワイヤを有し、前記液晶ライトバルブの光の出射側に配置された出射側偏光板と
を具備する光学ユニット。
【発明の詳細な説明】
【技術分野】
【０００１】
本技術は、スクリーン上に像を投射するプロジェクタ等の技術に関する。
【背景技術】
【０００２】
近年、長寿命化の観点から、液晶パネルの入射側偏光板、出射側偏光板として、いわゆるワイヤグリッド方式の無機偏光板が用いられることが多くなってきている。液晶パネル、入射側偏光板、出射側偏光板は、高温となりやすい部材であるため、一般的にファン等の送風機構から発生した冷却風によって冷却される。【０００３】
入射側偏光板、出射側偏光板等の無機偏光板が冷却風によって冷却されるとき、冷却風に含まれる塵埃や異物が無機偏光板に吹き付けられてしまい、無機偏光板の端面に堆積してしまうといった問題がある。偏光板の端面に堆積物が形成されると、空気中の水分や汚染物質がこの堆積物に吸収され、水分及び汚染物質が毛細管現象によって無機偏光板におけるワイヤ間の溝内に侵入してしまい、無機偏光板が汚染されてしまうといった問題がある。【０００４】
このような問題に関連する技術として、下記特許文献１が挙げられる。この特許文献１には、無機偏光板において冷却風の風上側に位置する端面に対して、ＵＶ接着材によって形成された被覆壁を設けることによって、上記問題を解消することができるといった趣旨の記載がされている。
【先行技術文献】
【特許文献】
【０００５】
【特許文献１】特開２０１４−６３１３５号公報
【発明の概要】
【発明が解決しようとする課題】
【０００６】
特許文献１に記載の技術によれば、外部からの水分や汚染物質の侵入を防ぐことはできる。しかしながら、被覆壁がＵＶ接着材によって形成されているため、このＵＶ接着材自体がワイヤ間の溝内に侵入してしまうといった問題があった。つまり、特許文献１に記載の技術は、ワイヤ間の溝内に異物が侵入してしまうといった問題の根本的な解決に至っていない。【０００７】
以上のような事情に鑑み、本技術の目的は、入射側偏光板及び出射側偏光板におけるワイヤ間の溝内に水分や汚染物質が侵入してしまうことを防止することができるプロジェクタ等の技術を提供することにある。
【課題を解決するための手段】
【０００８】
本技術に係るプロジェクタは、送風機構と、液晶ライトバルブと、入射側偏光板と、出射側偏光板とを具備する。
前記送風機構は、冷却風を発生させる。
前記入射側偏光板は、前記送風機構によって吹き付けられる前記冷却風に対して非平行な方向に延在するように形成された複数のワイヤを有し、前記液晶ライトバルブの光の入射側に配置される。
前記出射側偏光板は、前記送風機構によって吹き付けられる前記冷却風に対して非平行な方向に延在するように形成された複数のワイヤを有し、前記液晶ライトバルブの光の出射側に配置される。【０００９】
このプロジェクタでは、入射側偏光板及び出射側偏光板の複数のワイヤが、冷却風に対して非平行な方向とされているので、複数のワイヤ間の溝内に水分や汚染物質（塵埃、オイル、ＰＭ２．５等）が侵入してしまうことを防止することができる。【００１０】
上記プロジェクタは、前記入射側偏光板の出射面と、前記出射側偏光板の入射面との間に配置され、入射された光の偏光方向を変化させて出射する偏光変換板をさらに具備していてもよい。【００１１】
上記プロジェクタにおいて、前記入射側偏光板の複数のワイヤが延在する方向、及び前記出射側偏光板の複数のワイヤが延在する方向は、前記冷却風に対して略直交する方向であってもよい。【００１２】
これにより、複数のワイヤ間の溝内に水分や汚染物質が侵入してしまうことを適切に防止することができる。【００１３】
上記プロジェクタにおいて、前記偏光変換板は、前記入射側偏光板の出射面又は前記液晶ライトバルブの入射面に設けられていてもよい。【００１４】
このような位置に偏光変換板が配置されることによって、フォーカスの悪化を防止することができる。【００１５】
上記プロジェクタにおいて、前記偏光変換板は、前記入射側偏光板の出射面に設けられていてもよい。【００１６】
このような位置に、偏光変換板が配置されることによって、フォーカスの悪化を防止することができ、かつ、偏光変換板が高温にさらされてしまうことを防止することができる。【００１７】
本技術に係る光学ユニットは、液晶ライトバルブと、入射側偏光板と、出射側偏光板とを具備する。
前記入射側偏光板は、送風機構によって吹き付けられる冷却風に対して非平行な方向に延在するように形成された複数のワイヤを有し、前記液晶ライトバルブの光の入射側に配置される。
前記出射側偏光板は、前記送風機構によって吹き付けられる前記冷却風に対して非平行な方向に延在するように形成された複数のワイヤを有し、前記液晶ライトバルブの光の出射側に配置される。
【発明の効果】
【００１８】
以上のように、本技術によれば、射側偏光板及び出射側偏光板におけるワイヤ間の溝内に水分や汚染物質が侵入してしまうことを防止することができるプロジェクタ等の技術を提供することができる。
【図面の簡単な説明】
【００１９】
【図１】本技術の一実施形態に係るプロジェクタを示す模試的な斜視図である。
【図２】プロジェクタが有する画像生成部を示す模式的な上面図である。
【図３】プロジェクタが有する画像生成部の一部を示す模式的な上面図である。
【図４】図２に示すＡ−Ａ'間の模式的な側方断面図である。
【図５】透過部材保持部及び透過部材を示す斜視図である。
【図６】透過部材保持部及び透過部材を示す断面斜視図である。
【図７】透過部材保持部及び透過部材を示す側方断面図である。
【図８】投射部が取り外されたときの様子を示す模式的な前面図である。
【図９】入射側偏光板及び出射側偏光板と、冷却風との関係を説明するための模式的な斜視図である。
【図１０】比較例における入射側偏光板及び出射側偏光板と、冷却風との関係を説明するための模式的な斜視図である。
【図１１】ＵＶ接着材がワイヤ間の溝内に侵入してしまったときの様子を示す図である。
【図１２】出射側偏光板にスクライブカットが形成されたときの様子を示す図である。
【図１３】ゴーストの発生原因を説明するための図である。
【図１４】ゴーストの発生原因を説明するための図である。
【図１５】出射側偏光板が、クロスダイクロイックプリズムにおける対向する側面に対して傾斜して配置されることを説明するための図である。
【図１６】第１の出射側偏光板及び第３の出射側偏光板が、対向する側面に平行な状態から、Ｚ軸回りに回転された場合の一例を示す模式的な上面図である。
【図１７】第１の出射側偏光板及び第３の出射側偏光板が、対向する側面に平行な状態から、Ｘ'軸、Ｘ'''軸回りに回転された場合の一例を示す模式的な上面図である。
【図１８】図１７における一例についての模式的な側面図である。
【図１９】第１の出射側偏光板、第２の出射側偏光板及び第３の出射側偏光板が、対向する側面に平行な状態から、両方の軸回りに回転された場合の一例を示す模式的な上面図である。
【図２０】出射側偏光板を傾ける角度と、出射側偏光板のワイヤの方向との関係を説明するための図である。
【発明を実施するための形態】
【００２０】
［プロジェクタ１００の全体構成及び各部の構成］
図１は、本技術の一実施形態に係るプロジェクタ１００を示す模試的な斜視図である。なお、図１では、内部構造を見やすく表示するため、外装筐体の上面部を省略して図示している。本実施形態に係るプロジェクタ１００は、例えばプレゼンテーション用、もしくはデジタルシネマ用のプロジェクタ１００として用いられる。その他の用途に用いられるプロジェクタ１００にも、以下に説明する本技術は適用可能である。
【００２１】
プロジェクタ１００は、光を出射可能な光源部１０と、光源部１０からの光を元に画像を生成する画像生成部２０と、画像生成部２０における各種の光学系（図２参照）を冷却するための冷却部５０と、画像生成部２０により生成された画像をスクリーン（図示せず）上に投射する投射部６０とを有する。またプロジェクタ１００は、光源部１０、画像生成部２０、冷却部５０及び投射部６０を内部に収容する外装筐体１を有している。
【００２２】
なお、図示は省略しているが、プロジェクタ１００は、プロジェクタ１００の各部を統括的に制御する制御部と、揮発性及び不揮発性のメモリを含む記憶部と、他の装置と通信可能な通信部とを備えている。制御部、記憶部、通信部は、配線基板上に搭載されており、この配線基板が外装筐体１の内部に収容されている。
【００２３】
外装筐体１は略直方体形状を有しており、外装筐体１の前面部側には、投射部６０が取り付けられている。外装筐体１の前面部には、外装筐体１に投射部が取り付けられた状態で、投射部６０の一部が挿通可能な開口２が形成されている。この開口２は、投射部６０の形状に対応して円形に形成されており、投射部６０の前方側の径よりも若干大きい程度の大きさとされる。なお、この開口２の大きさは、少なくともユーザ（最終消費者又はサービスマン（最終消費者の代わりにメンテナンス等を行う者のこと）。以下、同様）の指先が入る程度の大きさとされている。
【００２４】
また、外装筐体１の２つの側面部にはそれぞれ吸気口３が形成されている。この吸気口３は、プロジェクタ１００の前後方向（Ｙ軸方向）に延在する長方形状に形成されている。
【００２５】
光源部１０は、青色波長域のレーザ光、及び、そのレーザ光によって励起される蛍光物質から生じる赤色波長域から緑色波長域の光を合成して白色光を出射するように構成されている。光源部１０は、光源用の筐体１１を含み、この筐体１１の内部には、複数の固体光源を有する光源ユニット、光源ユニットの光を受けて白色光を生成して出射する蛍光体ユニットなどが配置される。なお、光源部１０は、白色光を出射するように構成されていれば、その構成については特に限定されない。
【００２６】
画像生成部２０は、光源部１０から出射された赤色光、緑色光、及び青色光を含む白色光をもとに画像を生成する。画像生成部２０は、画像生成部用の筐体２１を含み、この筐体２１の内部には各種の光学系が配置されている。画像生成部２０における各種の光学系についての詳細は図２を参照して後述する。
【００２７】
冷却部５０は、画像生成部２０おける各種光学系を冷却するための冷却風を発生させるように構成されている。冷却部５０は、塵埃を除去するための、例えばスポンジタイプや帯電タイプのフィルタ５２と、冷却風を発生させる送風機構５１（例えば、軸流ファン、遠心ファン等）とを有する。本実施形態では、外装筐体１の側面部に形成された吸気口３に対向する位置に、吸気口３に沿ってフィルタ５２が配置されている。また、フィルタ５２の側方に送風機構５１が配置されている。この送風機構５１が駆動することで、吸気口３から吸入された外部の空気が、フィルタ５２を介して画像生成部２０における各種光学系に対して吹き付けられる。
【００２８】
なお、本実施形態に係るプロジェクタ１００は、送風機構５１によって発生した冷却風が画像生成部２０における各種光学系に対して下側から吹き付けられるように冷却風を導くダクト（図示せず）を有している。すなわち、本実施形態においては、冷却風は、画像生成部２０における各種光学系に対して下側から吹き付けられる。
【００２９】
投射部６０は、画像生成部２０から出射された光をスクリーン上に投射する。この投射部６０は、前方側の径が後方側の径よりも大きい円筒状の筒体６１と、筒体６１の内部に設けられた複数のレンズ６２（図２参照）とを有している。
【００３０】
本実施形態においては、投射部６０は、プロジェクタ１００に対して着脱可能（交換可能）とされている。例えば、投射部６０は、必要に応じて他の種類の投射部６０（例えば、レンズの種類が異なる投射部６０）に交換される。あるいは、投射部６０は、投射部６０が故障したときに同種類の新たな投射部６０と交換される。
【００３１】
画像生成部２０における筐体２１の前方側には、投射部６０を着脱可能に保持する投射部保持部５が形成されている。投射部６０を着脱可能とするための機構については、例えば、螺子式、磁石式などが挙げられるが、この機構については特に限定されない。投射部保持部５において、画像生成部２０からの光が出射される位置に対応する位置（投射部保持部５の中央近傍の位置）には、投射部６０を保持するための開口６（図４も参照）が形成されている。
【００３２】
この開口６は、投射部６０の形状に対応して円形状に形成されており、投射部６０の後方側の径よりも若干大きい程度の大きさとされる。なお、この開口６の大きさは、少なくともユーザの指先が入る程度の大きさとされている。
【００３３】
本実施形態では、投射部６０が投射部保持部５に保持されている状態では、投射部６０の前方側の一部が外装筐体１の前方に突出する。また、投射部６０が投射部保持部５に保持されている状態で、投射部６０の後方側の一部が投射部保持部５の後方に突出し、その一部が画像生成部用の筐体２１の内部に入り込む（図４参照）。
【００３４】
［画像生成部２０の構成］
図２は、プロジェクタ１００が有する画像生成部２０を示す模式的な上面図である。図３は、画像生成部２０の一部を示す模式的な上面図である。
【００３５】
これらの図に示すように、画像生成部２０は、インテグレータ素子２２と、偏光変換板２５と、集光レンズ２６と、第１のダイクロイックミラー２７と、第２のダイクロイックミラー２８と、第１のミラー２９と、第２のミラー３０と、第３のミラー３１とを含む。また、画像生成部２０は、第１のリレーレンズ３２と、第２のリレーレンズ３３と、第１のフィールドレンズ３４と、第２のフィールドレンズ３５と、第３のフィールドレンズ３６とを含む。
【００３６】
さらに、画像生成部２０は、第１の液晶ライトバルブ４１Ｒと、第２の液晶ライトバルブ４１Ｇと、第３の液晶ライトバルブ４１Ｂと、第１の入射側偏光板４２Ｒと、第２の入射側偏光板４２Ｇと、第３の入射側偏光板４２Ｂと、第１の出射側偏光板４３Ｒと、第２の出射側偏光板４３Ｇと、第３の出射側偏光板４３Ｂとを含む。また、画像生成部２０は、第１の偏光変換板４４Ｒと、第２の偏光変換板４４Ｇと、第３の偏光変換板４４Ｂと、クロスダイクロイックプリズム４５とを含む。
【００３７】
インテグレータ素子２２は、光源部１０から偏光変換板４４に照射される入射光を、均一な輝度分布に整える。インテグレータ素子２２は、二次元的に配列された複数のマイクロレンズを有する第１のフライアイレンズ２３と、その各マイクロレンズに１つずつ対応するように配列された複数のマイクロレンズを有する第２のフライアイレンズ２４とを有する。
【００３８】
光源部１０からインテグレータ素子２２に入射された平行光は、第１のフライアイレンズ２３のマイクロレンズによって複数の光束に分割され、第２のフライアイレンズ２４における対応するマイクロレンズにそれぞれ結像される。第２のフライアイレンズ２４のマイクロレンズのそれぞれが、二次光源として機能し、輝度が揃った複数の平行光を、偏光変換板２５に出射する。
【００３９】
偏光変換板２５は、インテグレータ素子２２を介して入射する入射光の偏光状態を揃えて集光レンズ２６に出射する。集光レンズ２６は、入射された光を集光して第１のダイクロイックミラー２７に出射する。
【００４０】
第１のダイクロイックミラー２７は、入射された白色光のうち、赤色光を選択的に透過させ、逆に、緑色光及び青色光を選択的に反射する。第２のダイクロイックミラー２８は、第１のダイクロイックミラー２７により反射された緑色光及び青色光のうち、青色光を選択的に透過させ、逆に、緑色光を選択的に反射する。このようにして、光源部１０から出射された光が、赤色光、緑色光、青色光に分離される。
【００４１】
第１のミラー２９は、第１のダイクロイックミラー２７を透過した赤色光を反射させて第１のフィールドレンズ３４側に導く。第１のフィールドレンズ３４は、入射された赤色光を平行化して第１の入射側偏光板４２Ｒに出射する。
【００４２】
同様に、第２のフィールドレンズ３５は、第２のダイクロイックミラー２８によって反射された緑色光を平行化して第２の入射側偏光板４２Ｇに出射する。
【００４３】
第２のミラー３０は、第２のダイクロイックミラー２８を透過して第１のリレーレンズ３２を通った青色光を反射して、第３のミラー３１側に導く。第３のミラー３１は、第２のリレーレンズ３３を通った青色光を反射して、第３のフィールドレンズ３６側に導く。第３のフィールドレンズ３６は、第３のミラー３１によって反射された青色光を平行化して第３の入射側偏光板４２Ｂに出射する。
【００４４】
第１の液晶ライトバルブ４１Ｒは赤色光を変調し、第２の液晶ライトバルブ４１Ｇは、緑色光を変調する。また、第３の液晶ライトバルブ４１Ｂは、青色光を変調する。
【００４５】
第１の入射側偏光板４２Ｒは、赤色光（第１の波長帯の光）を変調する第１の液晶ライトバルブ４１Ｒの入射側に配置され、第１の出射側偏光板４３Ｒは、第１の液晶ライトバルブ４１Ｒの出射側に配置される。第２の入射側偏光板４２Ｇは、緑色光（第２の波長帯の光）を変調する第２の液晶ライトバルブ４１Ｇの入射側に配置され、第２の出射側偏光板４３Ｇは、第２の液晶ライトバルブ４１Ｇの出射側に配置される。また、第３の入射側偏光板４２Ｂは、青色光（第３の波長帯の光）を変調する第３の液晶ライトバルブ４１Ｂの入射側に配置され、第３の出射側偏光板４３Ｂは、第３の液晶ライトバルブ４１Ｂの出射側に配置される。つまり、入射側偏光板４２及び出射側偏光板４３は、液晶ライトバルブ４１を間に挟むようにして配置される。
【００４６】
さらに、本実施形態においては、第１の入射側偏光板４２Ｒの出射面側の位置に第１の偏光変換板４４Ｒ（例えば、１／２λ板）が配置されている。同様に、第２の入射側偏光板４２Ｇの出射面側の位置に第２の偏光変換板４４Ｇ（例えば、１／２λ板）が配置されており、第３の入射側偏光板４２Ｂの出射面側の位置に第３の偏光変換板４４Ｂ（例えば、１／２λ板）が配置されている。
【００４７】
なお、これらの偏光変換板４４が設けられている理由や、入射側偏光板４２及び出射側偏光板４３についてのさらに具体的な構成については、図９を参照して後に詳述する。
【００４８】
第１の入射側偏光板４２Ｒは、第１のフィールドレンズ３４によって平行化された赤色光の偏光状態を揃えて出射する。第１の偏光変換板４４Ｒは、偏光方向が揃えられた赤色光のその偏光方向を光軸回りに９０°回転させて第１の液晶ライトバルブ４１Ｒに出射する。第１の液晶ライトバルブ４１Ｒは、供給される画像情報に基づき、入射光を画素毎に変調し、赤色画像を生成して第１の出射側偏光板４３Ｒに出射する。第１の出射側偏光板４３Ｒは、入射された赤色光の偏光方向を揃えてクロスダイクロイックプリズム４５へと出射する。
【００４９】
第２の入射側偏光板４２Ｇは、第２のフィールドレンズ３５によって平行化された緑色光の偏光状態を揃えて出射する。第２の偏光変換板４４Ｇは、偏光方向が揃えられた緑色光のその偏光方向を光軸回りに９０°回転させて第２の液晶ライトバルブ４１Ｇに出射する。第２の液晶ライトバルブ４１Ｇは、供給される画像情報に基づき、入射光を画素毎に変調し、緑色画像を生成して第２の出射側偏光板４３Ｇに出射する。第２の出射側偏光板４３Ｇは、入射された緑色光の偏光方向を揃えてクロスダイクロイックプリズム４５へと出射する。
【００５０】
第３の入射側偏光板４２Ｂは、第３のフィールドレンズ３６によって平行化された青色光の偏光状態を揃えて出射する。第３の偏光変換板４４Ｂは、偏光方向が揃えられた青色光のその偏光方向を光軸回りに９０°回転させて第３の液晶ライトバルブ４１Ｂに出射する。第３の液晶ライトバルブ４１Ｂは、供給される画像情報に基づき、入射光を画素毎に変調し、青色画像を生成して第３の出射側偏光板４３Ｂに出射する。第３の出射側偏光板４３Ｂは、入射された青色光の偏光方向を揃えてクロスダイクロイックプリズム４５へと出射する。
【００５１】
クロスダイクロイックプリズム４５は、３つの方向から入射した各色の光を重ね合わせて合成し、投射部６０に向けて出射する。クロスダイクロイックプリズム４５は、上下方向から見て正方形である直方体形状（立方体形状）を有している。
【００５２】
クロスダイクロイックプリズム４５は、第１の出射側偏光板４３Ｒに対向し、赤色光が入射される第１の側面４５ａと、第２の出射側偏光板４３Ｇに対向し、緑色光が入射される第２の側面４５ｂと、第３の出射側偏光板４３Ｂに対向し、青色光が入射される第３の側面４５ｃとを有する。また、クロスダイクロイックプリズム４５は、赤色光、緑色光及び青色光の合成光が出射される第４の側面４５ｄ（出射面）を有する。第１の側面４５ａ及び第３の側面４５ｃは互いに対向する側面とされており、第２の側面４５ｂ及び第４の側面４５ｄは互いに対向する面とされている。
【００５３】
このクロスダイクロイックプリズム４５は、上下方向（一方向：Ｚ軸方向）から見て、直角２等辺三角形である４つの三角柱プリズム同士を貼りあわせるようにして形成されている。４つの三角柱プリズムの界面には、２つのダイクロイック膜４６、４７が形成されている。２つのダイクロイック膜４６、４７は、上下方向（一方向：Ｚ軸方向）から見てＸ字状とされており、その交差軸が上下方向に沿って延びるように形成されている。
【００５４】
２つのダイクロイック膜４６、４７のうち第１のダイクロイック膜４６は、緑色光及び青色光を選択的に透過させ、逆に、赤色光を選択的に反射させる。一方、第２のダイクロイック膜４７は、緑色光及び赤色光を選択的に透過させ、逆に、青色光を選択的に反射させる。
【００５５】
従って、第１の出射側偏光板４３Ｒによって偏光状態が揃えられ、第１の側面４５ａからクロスダイクロイックプリズム４５に入射された赤色光は、第１のダイクロイック膜４６により反射されて投射部６０側に導かれる。また、第２の出射側偏光板４３Ｇによって偏光状態が揃えられ、第２の側面４５ｂからクロスダイクロイックプリズム４５に入射された緑色光は、第１のダイクロイック膜４６及び第２のダイクロイック膜４７を透過して直進し、投射部６０に至る。
【００５６】
また、第３の出射側偏光板４３Ｂによって偏光状態が揃えられ、第３の側面４５ｃからクロスダイクロイックプリズム４５に入射された青色光は、第２のダイクロイック膜４７により反射されて投射部６０側に導かれる。これにより、赤色光、緑色光及び青色光の合成光が生成され、この合成光が第４の側面４５ｄから出射される。
【００５７】
なお、本実施系形態において３つの液晶ライトバルブ４１、３つの入射側偏光板４２、３つの出射側偏光板４３、３つの偏光変換板４４、及びクロスダイクロイックプリズム４５は、１つの光学ユニット４０として形成されている。
【００５８】
［透過部材７０］
クロスダイクロイックプリズム４５と投射部６０との間の光路上には、光を透過させる透過部材７０が配置されている。この透過部材７０は、機能性フィルタ７０ａまたは代替用ガラス板７０ｂを含む。機能性フィルタ７０ａとしては、例えば、波長選択性フィルタ（例えば、カラーセレクト等）、偏光解消フィルタ（例えば、水晶板、位相差フィルム）、λ／４板、色トリミングフィルタなどが用いられる。
【００５９】
波長選択性フィルタは、例えば、３Ｄ輝度を向上させる目的や、特殊スクリーンに対して超短焦点投射を行う場合にスクリーンむらを解消させる目的で使用される。また、偏光解消フィルタ及びλ／４板は、スクリーンむらを解消する目的で使用され、色トリミングフィルタは、例えば、色域を拡大する目的や、色分離により３Ｄ表示を行う目的で使用される。
【００６０】
代替用ガラス板７０ｂは、クロスダイクロイックプリズム４５と投射部６０との間の光路上に機能性フィルタ７０ａが配置されていないときに、機能性フィルタ７０ａの代わりに用いられる。すなわち、機能性フィルタ７０ａが配置されていないときに、機能性フィルタ７０ａの位置に何も配置されていないと、バックフォーカスの位置が合わなくなってしまうので、その位置に機能性フィルタの代わりに代替用ガラス板７０ｂが配置される。
【００６１】
代替用ガラス板７０ｂは、例えば、フロートガラスなどの低コスト素材によって形成される。また、機能性フィルタ７０ａ及び代替用ガラス板７０ｂは、光学長が同じ光学長となるように、フィルタ屈折率に基づいて適切に厚みが設定されている。
【００６２】
なお、出荷段階では、初期設定で、クロスダイクロイックプリズム４５と投射部６０との間の光路上に代替用ガラス板７０ｂが設けられている。なお、出荷段階において、代替用ガラス板７０ｂが上記光路上に設けられている状態で、液晶ライトバルブ４１及び投射部６０の位置合わせが行われる。
【００６３】
ユーザは、機能拡張を必要とする場合、必要に応じて、初期設定で設けられている安価な代替用ガラス板７０ｂを取り外し、代替用ガラス板７０ｂを任意の機能性フィルタ７０ａに交換する。
【００６４】
［交換機構］
本実施形態においては、ユーザが容易に透過部材７０（機能性フィルタ７０ａまたは代替用ガラス板７０ｂ）を交換することができるように、透過部材７０を交換可能な交換機構がプロジェクタ１００に対して設けられている。
【００６５】
図４は、図２に示すＡ−Ａ'間の模式的な側方断面図である。図５は、透過部材保持部８０及び透過部材７０を示す斜視図である。図６は、透過部材保持部８０及び透過部材７０を示す断面斜視図である。図７は、透過部材保持部８０及び透過部材７０を示す側方断面図である。
【００６６】
これらの図に示すように、投射部保持部５の背面側には、透過部材７０（ホルダ７２）を着脱可能に保持することが可能な透過部材保持部８０（交換機構の一例）が設けられている。透過部材保持部８０は、その中央部分が平坦な半球殻状の形状（お椀型の形状）を有している。透過部材保持部８０には、複数のネジ穴８０ａが形成されており、このネジ穴８０ａにネジが螺着されることによって、透過部材保持部８０が投射部保持部５の背面側に取り付けられる。
【００６７】
透過部材保持部８０の中央近傍には、透過部材保持部８０を前後方向に貫通する、光を透過させるための開口８０ｂが形成されている。透過部材保持部８０の前方側において、この開口８０ｂに対応する位置に、透過部材７０（ホルダ７２）を着脱可能に保持する透過部材着脱部８１が形成されている。透過部材着脱部８１は、開口８０ｂの上側に形成された第１の係合溝８２と、開口８０ｂの下側に形成された第２の係合溝８３とを有している。
【００６８】
透過部材保持部８０の背面側において、開口８０ｂに対応する位置には、クロスダイクロイックプリズム４５が固定的に取り付けられている。クロスダイクロイックプリズム４５は、透過部材保持部８０によって保持されることによって、画像生成部用の筐体２１の内部で所定の位置に固定される。すなわち、透過部材保持部８０は、透過部材７０（ホルダ７２）を着脱可能に保持しつつ、クロスダイクロイックプリズム４５を固定的に保持している。
【００６９】
透過部材７０は、透過部材着脱部８１（透過部材保持部８０）に取り付けられた状態で、投射部６０の入射面よりもクロスダイクロイックプリズム４５の出射面４５ｄに近い位置に配置される。また、透過部材７０（ホルダ７２）は、開口８０ｂを覆うように透過部材着脱部８１（透過部材保持部８０）に保持される。
【００７０】
透過部材７０（機能性フィルタ７０ａ及び代替用ガラス板７０ｂ）は、ホルダ７２によって保持されている。ホルダ７２は矩形の枠体７３と、枠体７３の上端部側に形成された第１の係合部７４と、枠体７３の下端部側に形成された第２の係合部７５とを有する。第１の係合部７４は、第１の係合溝８２に係合し、第２の係合部７５は、爪部７５ｄ（付勢部）を介して第２の係合溝８３に係合する。
【００７１】
第１の係合部７４は、枠体７３の上端部における略中央の位置から上方に突出する第１の部分７４ａと、第１の部分７４ａの上端部から後方に突出する第２の部分７４ｂと、第２の部分７４ｂの後端部から上方に突出する第３の部分７４ｃとを含む。
【００７２】
第２の係合部７５は、枠体７３の下端部における中央近傍の位置から下側に向けて互いに平行に突出する２つの第１の部分７５ａと、２つの第１の部分７５ａの下端部を繋ぐ第２の部分７５ｂとを含む。また、第２の係合部７５は、第２の部分７５ｂの上端部において第２の部分７４ｂから後方側に向けて突出する舌状の第３の部分７５ｃと、第３の部分７５ｃの後方側において第３の部分７４ｃから上方に突出する第４の部分７５ｄ（爪部：付勢部）とを含む。
【００７３】
なお、第１の係合部７４は、透過部材７０（ホルダ７２）着脱されるときに支点となる部分である。一方、第２の係合部７５は、透過部材７０（ホルダ７２）が着脱されるときに固定及び解除を切り替えるための部分である。
【００７４】
具体的には、第２の係合部７５の第４の部分７５ｄ（爪部）が上方に付勢されて透過部材保持部８０の背面側に回り込むことによって、透過部材７０（ホルダ７２）が透過部材着脱部８１に対して固定される。一方、第２の係合部７５の第２の部分７４ｂの下端部が前方に移動されると、第２の係合部７５の第４の部分７５ｄ（爪部）の固定状態が解除され、これにより、透過部材７０（ホルダ７２）が透過部材着脱部８１から取り外し可能となる。
【００７５】
［透過部材７０（ホルダ７２）を交換するときの動作］
次に、ユーザが、機能性フィルタ７０ａ及び代替用ガラス板７０ｂを交換するときの動作について説明する。ここでの説明では、プロジェクタ１００には、代替用ガラス板７０ｂが設けられているものとする。なお、上述のように、出荷段階では、クロスダイクロイックプリズム４５と投射部６０との間の光路上に代替用ガラス板７０ｂが取り付けられている。
【００７６】
ユーザは、機能拡張を必要とする場合、まず、投射部６０を投射部保持部５から取り外す。図８は、投射部６０が取り外されたときの様子を示す模式的な前面図である。図８に示すように、投射部６０が投射部保持部５から取り外されると、外装筐体１の開口２及び投射部保持部５の開口６を介して、代替用ガラス板７０ｂが露出する。
【００７７】
次に、ユーザは、外装筐体１の開口２及び投射部保持部５の開口６に指先を入れて、代替用ガラス板７０ｂを透過部材着脱部８１から取り外す。なお、上述のように、外装筐体１の開口２及び投射部保持部５の開口６は、ユーザの指先が入る程度の大きさとれているため、ユーザは、これらの開口２、６に指先を容易に入れることができる。
【００７８】
代替用ガラス板７０ｂを取り外すとき、ユーザは、ホルダ７２における第２の係合部７５の第２の部分７４ｂの下端部をつまんで前方に移動させる。すると、第２の係合部７５の第４の部分７５ｄ（爪部）の固定状態が解除される。ユーザが、第２の係合部７５の第２の部分７４ｂの下端部をさらに前方に移動させると、ホルダ７２（代替用ガラス板７０ｂ）が第１の係合部７４を支点として回動し、ホルダ７２（代替用ガラス板７０ｂ）が透過部材着脱部８１から取り外される。
【００７９】
次に、ユーザは、任意の機能性フィルタ７０ａを把持し、外装筐体１の開口２及び投射部保持部５の開口６に指先を入れて、機能性フィルタ７０ａを透過部材着脱部８１に取り付ける。機能性フィルタ７０ａを取り付けるとき、まず、ユーザは、ホルダ７２における第１の係合部７４を透過部材着脱部８１の第１の係合溝８２に挿入する。次に、ユーザは、第１の係合部７４を支点としてホルダ７２（機能性フィルタ７０ａ）を回動させ、ホルダ７２の第２の係合部７５を透過部材着脱部８１の第２の係合溝８３へ挿入する。
【００８０】
ホルダ７２の第２の係合部７５が透過部材着脱部８１の第２の係合溝８３へ挿入されると、第２の係合部７５の第４の部分７５ｄ（爪部）が透過部材保持部８０の背面側に回り込んで、上方に向けて付勢される。これによりホルダ７２（機能性フィルタ７０ａ）が透過部材着脱部８１に対して固定される。
【００８１】
機能性フィルタ７０ａが透過部材着脱部８１に取り付けられると、次に、ユーザは、投射部６０を投射部保持部５に取り付ける。これにより、プロジェクタ１００の機能が拡張される。
【００８２】
ここでの説明では、代替用ガラス板７０ｂを機能性フィルタ７０ａに交換するときの動作について説明した。一方、機能性フィルタ７０ａが代替用ガラス板７０ｂに交換されてもよく、機能性フィルタ７０ａが他の種類の機能性フィルタ７０ａへと交換されてもよい。なお、これらの動作については、上述の動作と同様であるため、説明を省略する。
【００８３】
［交換機構における作用等］
本実施形態に係るプロジェクタ１００によれば、透過部材７０（機能性フィルタ７０ａ及び代替用ガラス板７０ｂ）を必要に応じて交換することができる。また、本実施形態に係るプロジェクタ１００では、透過部材７０は、クロスダイクロイックプリズム４５及び投射部６０の間の光路上に配置されるので、透過部材７０が投射部６０の前方側に設けられる場合に比べて、透過部材７０を小型化することができる。これによりコストを削減することができる。
【００８４】
また、本実施形態では、透過部材７０は、透過部材着脱部８１に取り付けられた状態で、投射部６０の入射面よりもクロスダイクロイックプリズム４５の出射面に近い位置に配置されている。これにより、さらに透過部材７０を小型化することができる。なお、透過部材７０の位置は、クロスダイクロイックプリズム４５の出射面に近づくほど小さくすることが可能である。
【００８５】
さらに、本実施形態では、交換機構として、透過部材着脱部８１（透過部材保持部８０）が採用されている。これにより、着脱によって簡単に透過部材７０を交換することができる。さらに、本実施形態では、透過部材着脱部８１として、第１の係合溝８２及び第２の係合溝８３が形成されており、対応して透過部材７０のホルダ７２には、第１の係合部７４及び第２の係合部７５が形成されている。
【００８６】
従って、これらの第１の係合溝８２、第２の係合溝８３、第１の係合部７４及び第２の係合部７５により、ユーザが透過部材７０を容易に交換することができる。特に、本実施形態では、ホルダの第２の係合部が、その爪部７５ｄを介して第２の係合溝８３に係合する構成とされているため、ユーザが透過部材７０をさらに容易に交換することができる。
【００８７】
さらに、本実施形態では、透過部材７０は、投射部６０がプロジェクタ１００から取り外されたときに形成される、外装筐体１の開口２及び投射部保持部５の開口６を介して交換される。従って、ユーザは、透過部材７０を交換する際に、プロジェクタ１００を分解する必要がない。これにより、ユーザは、容易に透過部材７０を交換することができる。
【００８８】
なお、一般的なプロジェクタ１００の場合、投射部６０が着脱可能に構成されている場合が多い。従って、透過部材７０を交換可能とするために、外装筐体１や投射部保持部５を特別に変更する必要はない。つまり、外装筐体１や投射部保持部５は、既存のプロジェクタ１００と同じ部材を用いることができる。
【００８９】
また、本実施形態では、透過部材７０（ホルダ７２）は、開口８０ｂを覆うように透過部材着脱部８１（透過部材保持部８０）に保持される。このように、透過部材７０（ホルダ７２）が開口８０ｂを覆うことで、開口８０ｂよりも光路の上流側に塵埃などが侵入してしまうことを効果的に防止することができる。
【００９０】
ここで、機能性フィルタ７０ａによるいくつかの機能をプロジェクタ１００に搭載した場合、その機能を必要としないユーザに対してもその機能が搭載されることになるため、その機能分のコストがユーザに対して無駄となる可能性がある。これは、販売台数の減少に繋がるおそれがある。一方、機能性フィルタ７０ａによる機能を取捨選択した場合、小数の要求が無視されてしまう。これも販売台数の減少に繋がるおそれがある。
【００９１】
一方、本実施形態に係るプロジェクタ１００では、プロジェクタ１００の出荷段階において初期設定で、安価な代替用ガラス板７０ｂが設けられている。そして、機能拡張の必要がある場合に、必要に応じて、代替用ガラス板７０ｂが機能性フィルタ７０ａと交換される。
【００９２】
従って、本実施形態に係るプロジェクタ１００では、その機能を必要としないユーザに対して無駄なコストが上乗せされてしまうことを防止することができる。また、本実施形態に係るプロジェクタ１００は、必要に応じて機能性フィルタ７０ａを取り付けることができるので、小数の要求にも適切に対応することができる。つまり、本実施形態では、初期設定において安価なプロジェクタ１００を提供しつつ、機能性フィルタ７０ａによる機能が必要なユーザに対して適切にその機能を提供することができる。これは、販売台数の増加に繋がると考えられる。
【００９３】
ここで、比較例として、クロスダイクロイックプリズム４５の出射面４５ｄに対して機能性フィルタ７０ａが固着されている場合を想定する。この場合、機能性フィルタ７０ａを交換しようとすると、クロスダイクロイックプリズム４５を含む光学ユニット４０全体を交換する必要が生じる。この場合、最終消費者自身では交換が難しい。一方、サービスマンであれば、光学ユニット４０全体を交換可能であるが、液晶ライトバルブ４１の位置調整を行う必要もあるため、加工費が高くなってしまう場合がある。
【００９４】
一方、本実施形態では、透過部材７０（ホルダ７２）は、透過部材保持部８０の透過部材着脱部８１に対して着脱可能とされているため、クロスダイクロイックプリズム４５を含む光学ユニット４０全体を交換する必要がない。このため、最終消費者においても簡単に透過部材７０を交換することができ、また、サービスマンによる加工費が高くなってしまうことも防止することができる。
【００９５】
以上の説明では、透過部材７０が配置される位置が、クロスダイクロイックプリズム４５及び投射部６０の間の光路上であるとして説明した。一方、透過部材７０が配置される位置は、液晶ライトバルブ４１及びクロスダイクロイックプリズム４５の間の光路上であってもよい。典型的には、透過部材７０が配置される位置は、液晶ライトバルブ４１及び投射部６０の間の光路上であればどこであっても構わない。
【００９６】
なお、液晶ライトバルブ４１及び投射部６０の間の光路上に、透過部材７０が配置されていれば、機能性フィルタ７０ａを有効に機能させつつ、透過部材７０を小型化することができる。
【００９７】
以上の説明では、ライトバルブが、透過型の液晶ライトバルブ４１である場合について説明した。一方、ライトバルブは、反射型の液晶ライトバルブであってもよいし、ＤＬＰ（登録商標）（Digital Light Processing）であってもよい。ライトバルブが反射型の液晶ライトバルブ、ＤＬＰである場合においても、透過部材７０が配置される位置は、ライトバルブ及び投射部６０の間の光路上とされる。
【００９８】
以上の説明では、交換機構が着脱式であるについて説明した。一方、交換機構は、ねじ止め式や、磁石式であってもよい。あるいは、交換機構は、レボルバー式や、シャッタ方式であってもよい。
【００９９】
レボルバー方式の場合、種類の異なる複数の透過部材７０が円盤状のレボルバーの周方向に沿って並べられるように配置される。そして、レボルバーが回されると、ライトバルブ及び投射部６０の間の光路上に配置される透過部材７０が順次切り替えられる。
【０１００】
シャッタ方式の場合、例えば、種類の異なる複数の透過部材７０が、一方向に長いシャッタの長手方向に沿って並べられるように配置される。そして、一方向に沿ってシャッタが移動されると、ライトバルブ及び投射部６０の間の光路上に配置される透過部材７０が順次切り替えられる。
【０１０１】
以上の説明では、透過部材７０が、外装筐体１の開口２及び投射部保持部５の開口６を介して交換されるとして説明した。一方、外装筐体１の上面及び画像生成部２０の筐体２１の上面にそれぞれ透過部材７０が挿通可能なスロットが形成されていてもよい。この場合、このスロットを介して透過部材７０が交換される。
【０１０２】
この方式は、例えば、投射部６０を取り外しても手が届かないような場所（例えば、液晶ライトバルブ４１及びクロスダイクロイックプリズム４５の間）に透過部材７０が配置される場合に特に有効である。
【０１０３】
［入射側偏光板４２及び出射側偏光板４３と、冷却風との関係］
次に、入射側偏光板４２及び出射側偏光板４３と、冷却風との関係について説明する。図９は、入射側偏光板４２及び出射側偏光板４３と、冷却風との関係を説明するための模式的な斜視図である。
【０１０４】
図９の説明では、光軸方向をＹ軸方向、光軸方向に垂直な水平方向をＸ軸方向、上下方向をＺ軸方向とする。また、図９の光路の上流側を前方側、光路の下流側を後方側とする（Ｙ軸方向）。
【０１０５】
本実施形態において、入射側偏光板４２及び出射側偏光板４３は、複数のワイヤ４８を有するワイヤグリッド方式の無機偏光板により構成されている。なお、無機偏光板は、耐熱性が高いといった特徴を有している。
【０１０６】
入射側偏光板４２及び出射側偏光板４３は、透明なガラス材料などにより構成された基板８と、アルミニウムなどの金属などによって構成された複数のワイヤ４８とを有している。複数のワイヤ４８は、基板８上において一方向に延在するように、かつ、前記一方向に直交する方向に並べられるように形成される。また、隣り合うワイヤ４８間には溝４９が形成される。複数のワイヤ４８は、ワイヤ４８が延在する方向に垂直な偏光方向を有する光を透過させ、一方で、ワイヤ４８が延在する方向に平行な偏光方向を有する光を反射させる。
【０１０７】
本実施形態では、入射側偏光板４２は、ワイヤ４８が設けられた側が前方側に配置されている。一方、出射側偏光板４３は、ワイヤ４８が設けられた側が後方側に配置されている。なお、入射側偏光板４２は、ワイヤ４８が設けられた側が後方側に配置されていてもよい。また、出射側偏光板４３は、ワイヤ４８が設けられた側が前方側に配置されていてもよい。
【０１０８】
また、本実施形態では、入射側偏光板４２は、反射型の偏光板とされており、一方で、出射側偏光板４３は、吸収型の偏光板とされている。このため、出射側偏光板４３の基板８には、不要光を吸収するための吸収層（図示せず）が形成される。この吸収層が設けられていることによって、不要光が液晶ライトバルブ４１側に戻されて、画質が劣化してしまうことを防止することができる。
【０１０９】
なお、入射側偏光板４２を吸収型の偏光板とすることもでき、出射側偏光板４３を、反射型の偏光板とすることもできる。
【０１１０】
さらに、本実施形態においては、入射側偏光板４２の出射面に対して偏光変換板４４（例えば、１／２λ板）が固着されている。この偏光変換板４４は、透過した光の偏光方向を光軸回りに９０°回転させる。
【０１１１】
図９に示すように、本実施形態では、送風機構５１によって発生された冷却風が、入射側偏光板４２、液晶ライトバルブ４１及び出射側偏光板４３に対して下側（Ｚ軸方向）から吹き付けられる。
【０１１２】
そして、入射側偏光板４２の複数のワイヤ４８が延在する方向は、この冷却風が吹きつけられる方向（Ｚ軸方向）に対して直交する方向（Ｘ軸方向）とされている。同様に、出射側偏光板４３の複数のワイヤ４８が延在する方向は、冷却風が吹きつけられる方向（Ｚ軸方向）に対して直交する方向（Ｘ軸方向）とされている。つまり、本実施形態では、入射側偏光板４２の複数のワイヤ４８が延在する方向と、入射側偏光板４２の複数のワイヤ４８が延在する方向とは同じとされており、かつ、この方向が冷却風と直交する方向とされている。
【０１１３】
このように、入射側偏光板４２及び出射側偏光板４３の複数のワイヤ４８を冷却風に対して直交する方向とすることによって、複数のワイヤ４８間の溝４９内に水分や汚染物質（塵埃、オイル、ＰＭ２．５等）が侵入してしまうことを防止することができる。
【０１１４】
ここで、光の動作について説明する。入射側偏光板４２に入射される光のうち、入射側偏光板４２の複数のワイヤ４８が延在する方向に垂直な偏光方向（Ｚ軸方向）を有する光は、入射側偏光板４２を透過する。一方で、入射側偏光板４２の複数のワイヤ４８が延在する方向に平行な偏光方向（Ｘ軸方向）を有する光は、入射側偏光板４２により反射される。
【０１１５】
入射側偏光板４２を透過した光は、偏光変換板４４により光軸回りに９０°回転されて、その偏光方向がＸ軸方向に変換される。そして、偏光方向がＸ軸方向の光は、液晶ライトバルブ４１に入射されて変調される。液晶ライトバルブ４１によって変調された光のうち、出射側偏光板４３の複数のワイヤ４８が延在する方向に垂直な偏光方向（Ｚ軸方向）を有する光は、出射側偏光板４３を透過する。一方で、出射側偏光板４３の複数のワイヤ４８が延在する方向に平行な偏光方向（Ｘ軸方向）を有する光は、出射側偏光板４３の複数のワイヤ４８により反射されて、出射側偏光板４３の吸収層に吸収される。
【０１１６】
［作用等］
ここで、本実施形態に係るプロジェクタ１００の作用について説明する。ここでの説明では、まず、比較例について説明する。図１０は、比較例における入射側偏光板４２及び出射側偏光板４３と、冷却風との関係を説明するための模式的な斜視図である。
【０１１７】
図１０に示す比較例では、本実施形態と異なり、出射側偏光板４３の複数のワイヤ４８が延在する方向が、冷却風に対して平行な方向（Ｚ軸方向）とされている。また、比較例では、本実施形態と異なり、偏光変換板４４が設けられていない。その他の点については、本実施形態と同様である。
【０１１８】
図１０に示す比較例では、入射側偏光板４２に入射される光のうち、入射側偏光板４２の複数のワイヤ４８が延在する方向に垂直な偏光方向（Ｚ軸方向）を有する光は、入射側偏光板４２を透過する。一方で、入射側偏光板４２の複数のワイヤ４８が延在する方向に平行な偏光方向（Ｘ軸方向）を有する光は、入射側偏光板４２により反射される。
【０１１９】
入射側偏光板４２を透過した偏光方向がＺ軸方向の光は、液晶ライトバルブ４１に入射されて変調される。液晶ライトバルブ４１によって変調された光のうち、出射側偏光板４３の複数のワイヤ４８が延在する方向に垂直な偏光方向（Ｘ軸方向）を有する光は、出射側偏光板４３を透過する。一方で、出射側偏光板４３の複数のワイヤ４８が延在する方向に平行な偏光方向（Ｚ軸方向）を有する光は、出射側偏光板４３の複数のワイヤ４８により反射されて、出射側偏光板４３の吸収層に吸収される。
【０１２０】
図１０に示す比較例では、出射側偏光板４３の複数のワイヤ４８が延在する方向が、冷却風に対して平行な方向（Ｚ軸方向）とされているため、冷却風に含まれる塵埃や異物が出射側偏光板４３の下端面に堆積してしまう。出射側偏光板４３の下端面に堆積物が形成されると、空気中の水分や汚染物質がこの堆積物に吸収され、水分及び汚染物質が毛細管現象によってワイヤ４８間の溝４９内に侵入してしまい、出射側偏光板４３が汚染されてしまう。この場合、出射側偏光板４３が有効に機能しなくなってしまう。
【０１２１】
これを防止するため、冷却風が吹きつけられる出射側偏光板４３の下端面に対して、ＵＶ接着材により被覆壁を形成するといった方法が用いられる場合がある。この方法では、外部からの水分や汚染物質の侵入を防ぐことはできる。しかしながら、被覆壁がＵＶ接着材によって形成されているため、このＵＶ接着材自体がワイヤ４８間の溝４９内に侵入してしまうという問題がある。
【０１２２】
図１１には、ＵＶ接着材がワイヤ４８間の溝４９内に侵入してしまったときの様子が示されている。
【０１２３】
また、水分及び汚染物質の侵入を防止するため、冷却風が吹きつけられる出射側偏光板４３の下端面から数ｍｍ程度上側の位置に、複数のワイヤ４８が延在する方向に直交する方向に向けて、スクライブカット７を形成するといった方法が用いられる場合がある。図１２には、出射側偏光板４３にスクライブカット７が形成されたときの様子が示されている。
【０１２４】
この方法では、スクライブカット７によって、複数のワイヤ４８が存在しない空間（例えば、１０μｍ程度）が形成され、この空間によって水分や汚染物質が溝４９内への侵入してしまうことを防止している。しかしながら、スクライブカット７による空間に水分や汚染物質が侵入すると、その侵入した水分や汚染物質が毛細管力によって再び上方に移動して溝４９内に進入してしまうといった問題がある。
【０１２５】
そこで、本実施形態に係るプロジェクタ１００では、入射側偏光板４２及び出射側偏光板４３の複数のワイヤ４８を冷却風に対して直交する方向とするといった方法により、複数のワイヤ４８間の溝４９内に水分や汚染物質が侵入してしまうことを防止している。
【０１２６】
本実施形態では、入射側偏光板４２及び出射側偏光板４３の複数のワイヤ４８が同じ方向とされているため、入射側偏光板４２の出射面と、出射側偏光板４３の入射面との間のいずれかの位置に偏光方向を変換する部材を挿入する必要がある。このため、本実施形態では、入射側偏光板４２の出射面に対して、偏光変換板４４が固着されている。なお、偏光変換板４４は、安価な部材であるためコストアップには繋がらない。
【０１２７】
ここで、偏光変換板４４が挿入される位置は、入射側偏光板４２の出射面及び出射側偏光板４３の入射面の間であれば、入射側偏光板４２の出射面に限られない。例えば、偏光変換板４４が挿入される位置は、液晶ライトバルブ４１の入射面であってもよく、液晶ライトバルブ４１の出射面であってもよい。あるいは、偏光変換板４４が挿入される位置は、出射側偏光板４３の入射面であってもよい。
【０１２８】
なお、偏光変換板４４が挿入される位置が、入射側偏光板４２の出射面及び液晶ライトバルブ４１の入射面であれば、フォーカスの悪化を防止することができる。さらに、偏光変換板４４が挿入される位置が、入射側偏光板４２の出射面であれば、偏光変換板４４が高温にさらされることを防止することができる（液晶ライトバルブ４１、出射側偏光板４３は高温になりやすい部材であるため）。
【０１２９】
ここで、本実施形態では、入射側偏光板４２及び出射側偏光板４３は、同一形状の部材で構成することが可能である。以降では、これについて説明する。入射側偏光板４２及び出射側偏光板４３は、通常、光軸方向から見て水平方向（Ｘ軸方向）が長く垂直方向（Ｚ軸方向）が短い長方形の形状を有している。
【０１３０】
図１０の比較例を参照して、比較例では、入射側偏光板４２及び出射側偏光板４３として、ワイヤ４８の延在方向に応じて２種類の偏光板が必要となる。すなわち、比較例では、入射側偏光板４２として、長辺（Ｘ軸）の方向に沿って複数のワイヤ４８が形成された偏光板を用意する必要がある。さらに、比較例では、出射側偏光板４３として、短辺（Ｚ軸）の方向に沿って複数のワイヤ４８が形成された偏光板を用意する必要がある。
【０１３１】
一方で、図９に示す本実施形態では、入射側偏光板４２及び出射側偏光板４３で、長辺（短辺でも可）の方向に沿って複数のワイヤ４８が形成された偏光板を共通で用いることができる。これは、本実施形態では、入射側偏光板４２及び出射側偏光板４３のワイヤの延在する方向が同じ方向とされているためである。これにより、本実施形態では、入射側偏光板４２及び出射側偏光板４を容易に大量生産することができ、コストを削減することができる。さらに、入射側偏光板４２及び出射側偏光板４３の取り付けの間違いを防止することができる。
【０１３２】
以上の説明では、冷却風が吹きつけられる方向が上下方向で、かつ、複数のワイヤ４８が延在する方向が水平方向であるとして説明した。一方、冷却風が吹きつけられる方向が水平方向で、かつ、複数のワイヤ４８が延在する方向が垂直方向であってもよい。
【０１３３】
以上の説明では、入射側偏光板４２及び出射側偏光板４３の複数のワイヤ４８が延在する方向が、冷却風が吹きつけられる方向に対して直交する方向（９０°）とされている場合について説明した。一方、入射側偏光板４２及び出射側偏光板４３の複数のワイヤ４８が延在する方向は、冷却風が吹きつけられる方向に対して非平行な方向であれば、冷却風が吹きつけられる方向に対して直交する方向でなくてもよい。例えば、複数のワイヤ４８が延在する方向が、冷却風が吹きつけられる方向（Ｚ軸方向）に対して４５°とされていてもよい。
【０１３４】
以上の説明では、入射側偏光板４２の複数のワイヤ４８が延在する方向と、出射側偏光板４３の複数のワイヤ４８が延在する方向とが同じとされている場合について説明した。一方、これらの方向は、必ずしも同じ方向とされている必要はない。例えば、入射側偏光板４２及び出射側偏光板４３の複数のワイヤ４８が延在する方向が、冷却風が吹きつけられる方向（Ｚ軸方向）に対してそれぞれ４５°、１３５°とされていてもよい。この場合、偏光変換板４４を設けることなく、入射側偏光板４２及び出射側偏光板４３の複数のワイヤ４８が延在する方向を冷却風が吹きつけられる方向に対して非平行とすることができる。
【０１３５】
複数のワイヤ４８を冷却風に対して非平行とする技術は、ライトバルブが反射型の液晶ライトバルブ４１である場合についても適用することができる。
【０１３６】
［ゴーストを防止するための構成］
次に、出射側偏光板４３の出射側において発生する不要光に起因して生じるゴーストを防止するための構成について説明する。
【０１３７】
［ゴーストの発生原因］
ここでの説明では、まず、ゴーストが発生してしまう理由について説明する。図１３及び図１４は、ゴーストの発生原因を説明するための図である。
【０１３８】
まず、図１３に示す（１）の光の動きについて説明する。第２の出射側偏光板４３Ｇを通過した緑色光（白の矢印参照）は、クロスダイクロイックプリズム４５に進入し、第１のダイクロイック膜４６に入射する。第１のダイクロイック膜４６は、緑色光を透過させるため、本来、緑色光は第１のダイクロイック膜４６を透過するが、一部の光が第１のダイクロイック膜４６によって反射される。第１のダイクロイック膜４６により反射された光は、第２のダイクロイック膜４７を透過し、第３の出射側偏光板４３Ｂの出射面側に入射する。
【０１３９】
第３の出射側偏光板４３Ｂの出射面側に入射した光は、第３の出射側偏光板４３Ｂの出射面側に形成されたワイヤ４８によって反射され、再びクロスダイクロイックプリズム４５に進入する。そして、この光は、第２のダイクロイック膜４７を透過した後、第１のダイクロイック膜４６を透過し、第１の出射側偏光板４３Ｒの出射面側に入射する。
【０１４０】
第１の出射側偏光板４３Ｒの出射面側に入射した光は、第１の出射側偏光板４３Ｒの出射面側に形成されたワイヤ４８によって反射され、再びクロスダイクロイックプリズム４５に進入する。この光は、第１のダイクロイック膜４６に入射する。第１のダイクロイック膜４６は、緑色光を透過させるため、本来、緑色光は第１のダイクロイック膜４６を透過するが、一部の光が第１のダイクロイック膜４６によって反射される。第１のダイクロイック膜４６により反射された光は、第２のダイクロイック膜４７を透過し、クロスダイクロイックプリズム４５の出射面４５ｄから出射される。この光がゴーストの原因となる。
【０１４１】
次に、図１３に示す（２）の光の動きについて説明する。第２の出射側偏光板４３Ｇを通過した緑色光（白の矢印参照）は、クロスダイクロイックプリズム４５に進入し、第１のダイクロイック膜４６を透過した後、第２のダイクロイック膜４７に入射される。第２のダイクロイック膜４７は、緑色光を透過させるため、本来、緑色光は第２のダイクロイック膜４７を透過するが、一部の光が第２のダイクロイック膜４７によって反射される。第２のダイクロイック膜４７により反射された光は、第１の出射側偏光板４３Ｒの出射面側に入射する。
【０１４２】
第１の出射側偏光板４３Ｒの出射面側に入射した光は、第１の出射側偏光板４３Ｒの出射面側に形成されたワイヤ４８によって反射され、再びクロスダイクロイックプリズム４５に進入する。そして、この光は、第２のダイクロイック膜４７を透過した後、第１のダイクロイック膜４６を透過し、第３の出射側偏光板４３Ｂの出射面側に入射する。
【０１４３】
第３の出射側偏光板４３Ｂの出射面側に入射した光は、第３の出射側偏光板４３Ｂの出射面側に形成されたワイヤ４８によって反射され、再びクロスダイクロイックプリズム４５に進入する。この光は、第１のダイクロイック膜４６を透過した後、第２のダイクロイック膜４７に入射される。第２のダイクロイック膜４７は、緑色光を透過させるため、本来、緑色光は第２のダイクロイック膜４７を透過するが、一部の光が第２のダイクロイック膜４７によって反射される。第２のダイクロイック膜４７により反射された光は、クロスダイクロイックプリズム４５の出射面４５ｄから出射される。この光がゴーストの原因となる。
【０１４４】
次に、図１４に示す（１）の光の動きについて説明する。第２の出射側偏光板４３Ｇを通過した緑色光（白の矢印参照）は、クロスダイクロイックプリズム４５に進入し、第１のダイクロイック膜４６に入射する。第１のダイクロイック膜４６は、緑色光を透過させるため、本来、緑色光は第１のダイクロイック膜４６を透過するが、一部の光が第１のダイクロイック膜４６によって反射される。第１のダイクロイック膜４６により反射された光は、第２のダイクロイック膜４７を透過し、第３の出射側偏光板４３Ｂの出射面側に入射する。
【０１４５】
第３の出射側偏光板４３Ｂの出射面側に入射した光は、第３の出射側偏光板４３Ｂの出射面側に形成されたワイヤ４８によって反射され、再びクロスダイクロイックプリズム４５に進入する。そして、この光は、第２のダイクロイック膜４７を透過した後、第１のダイクロイック膜４６に入射される。第１のダイクロイック膜４６は、緑色光を透過させるため、本来、緑色光は第２のダイクロイック膜４７を透過するが、一部の光が第１のダイクロイック膜４６によって反射される。
【０１４６】
第１のダイクロイック膜４６によって反射された光は、第２の出射側偏光板４３Ｇの出射面側に入射し、第２の出射側偏光板４３Ｇの出射面側に形成されたワイヤ４８によって反射される。この光は、第１のダイクロイック膜４６を透過した後、第２のダイクロイック膜４７を透過し、クロスダイクロイックプリズム４５の出射面４５ｄから出射される。この光がゴーストの原因となる。
【０１４７】
次に、図１４に示す（２）の光の動きについて説明する。第２の出射側偏光板４３Ｇを通過した緑色光（白の矢印参照）は、クロスダイクロイックプリズム４５に進入する。この光は、第１のダイクロイック膜４６を透過した後、第２のダイクロイック膜４７に入射する。第２のダイクロイック膜４７は、緑色光を透過させるため、本来、緑色光は第２のダイクロイック膜４７を透過するが、一部の光が第２のダイクロイック膜４７によって反射される。第２のダイクロイック膜４７により反射された光は、第１の出射側偏光板４３Ｒの出射面側に入射する。
【０１４８】
第１の出射側偏光板４３Ｒの出射面側に入射した光は、第１の出射側偏光板４３Ｒの出射面側に形成されたワイヤ４８によって反射され、再びクロスダイクロイックプリズム４５に進入し、第２のダイクロイック膜４７に入射する。第２のダイクロイック膜４７は、緑色光を透過させるため、本来、緑色光は第２のダイクロイック膜４７を透過するが、一部の光が第２のダイクロイック膜４７によって反射される。
【０１４９】
第２のダイクロイック膜４７によって反射された光は、第１のダイクロイック膜４６を透過し、第２の出射側偏光板４３Ｇの出射面側に入射する。第２の出射側偏光板４３Ｇの出射面側に入射した光は、第２の出射側偏光板４３Ｇの出射面側に形成されたワイヤ４８によって反射される。この光は、第１のダイクロイック膜４６を透過した後、第２のダイクロイック膜４７を透過し、クロスダイクロイックプリズム４５の出射面４５ｄから出射される。この光がゴーストの原因となる。
【０１５０】
図１３及び図１４の説明では、緑色光について説明したが、赤色光及び青色光についても、同様に、ゴーストの原因となる場合がある。
【０１５１】
［出射側偏光板４３の具体的な構成］
図１３及び図１４に示すような不要光によるゴーストを防止するため、本実施形態に係るプロジェクタ１００では、第１の出射側偏光板４３Ｒ、前記第２の出射側偏光板４３Ｇ及び前記第３の出射側偏光板４３Ｂのうち少なくとも１つの出射側偏光板４３が、クロスダイクロイックプリズム４５の対向する側面に対して傾斜して配置される。
【０１５２】
典型的には、３つの出射側偏光板４３のうち少なくとも１つの出射側偏光板４３は、クロスダイクロイックプリズム４５の対向する側面に平行な状態から、直交する２軸のうち少なくとも一方の軸回りに回転して配置される。図１５は、これを説明するための図である。
【０１５３】
図１５では、プロジェクタ１００を基準とした座標系がＸ軸、Ｙ軸及びＺ軸とされている。また、第１の出射側偏光板４３Ｒを基準とした座標系がＸ'軸及びＺ軸とされており、第２の出射側偏光板４３Ｇを基準とした座標系がＸ''軸及びＺ軸とされている。同様に、第３の出射側偏光板４３Ｂを基準とした座標系がＸ'''軸及びＺ軸とされている。
【０１５４】
ここで、Ｘ'軸方向は、第１の出射側偏光板４３Ｒにおける出射面に平行な面内の方向であり、かつ、Ｚ軸方向（上下方向）に垂直な方向である。同様に、Ｘ''軸方向は、第２の出射側偏光板４３Ｇにおける出射面に平行な面内の方向であり、かつ、Ｚ軸方向（上下方向）に垂直な方向である。同様に、Ｘ'''軸方向は、第３の出射側偏光板４３Ｂにおける出射面に平行な面内の方向であり、かつ、Ｚ軸方向（上下方向）に垂直な方向である。
【０１５５】
なお、Ｘ'軸及びＺ軸の座標系、Ｘ''軸及びＺ軸の座標系、並びに、Ｘ''軸及びＺ軸の座標系において、Ｘ'軸、Ｘ''軸、Ｘ''軸は、出射側偏光板４３の回転に応じて出射側偏光板４３とともに変化する。一方で、Ｚ軸は、出射側偏光板４３が回転しても変化しない。
【０１５６】
図１５における座標系の取り方は、後述の図１６〜２０においても同様である。
【０１５７】
第１の出射側偏光板４３Ｒは、クロスダイクロイックプリズム４５における対向する第１の側面４５ａに平行な状態から、Ｚ軸（第１の軸）回りに回転されるようにして配置される（なお、Ｚ軸方向（上下方向）は、ダイクロイック膜４６、４７の交差軸が延在する方向）。第１の出射側偏光板４３Ｒが、Ｚ軸（第１の軸）回りに回転されるようにして配置されると、Ｚ軸方向から見て、第１の出射側偏光がダイクロイック膜４６、４７に対して４５°からはずれた角度となる。
【０１５８】
あるいは、第１の出射側偏光板４３Ｒは、クロスダイクロイックプリズム４５における対向する第１の側面４５ａに平行な状態から、Ｘ'軸（第２の軸：Ｚ軸に直交する方向）回りに回転されるようにして配置される。あるいは、第１の出射側偏光板４３Ｒは、Ｚ軸及びＸ'軸の両方の軸回りに回転されるようにして配置されてもよい。
【０１５９】
同様に、第２の出射側偏光板４３Ｇは、クロスダイクロイックプリズム４５における対向する第２の側面４５ｂに平行な状態から、Ｚ軸（第１の軸）回りに回転されるようにして配置される。第２の出射側偏光板４３Ｇが、Ｚ軸回りに回転されるようにして配置されると、Ｚ軸方向から見て、第１の出射側偏光がダイクロイック膜４６、４７に対して４５°からはずれた角度となる。
【０１６０】
あるいは、第２の出射側偏光板４３Ｇは、クロスダイクロイックプリズム４５における対向する第２の側面４５ｂに平行な状態から、Ｘ''軸（第２の軸：Ｚ軸に直交する方向）回りに回転されるようにして配置される。あるいは、第２の出射側偏光板４３Ｇは、Ｚ軸及びＸ''軸の両方の軸回りに回転されるようにして配置されてもよい。
【０１６１】
同様に、第３の出射側偏光板４３Ｂは、クロスダイクロイックプリズム４５における対向する第３の側面４５ｃに平行な状態から、Ｚ軸（第１の軸）回りに回転されるようにして配置される。第３の出射側偏光板４３Ｂが、Ｚ軸回りに回転されるようにして配置されると、Ｚ軸方向から見て、第３の出射側偏光がダイクロイック膜４６、４７に対して４５°からはずれた角度となる。
【０１６２】
あるいは、第３の出射側偏光板４３Ｂは、クロスダイクロイックプリズム４５における対向する第３の側面４５ｃに平行な状態から、Ｘ'''軸（第２の軸：Ｚ軸に直交する方向）回りに回転されるようにして配置される。あるいは、第２の出射側偏光板４３Ｇは、Ｚ軸及びＸ'''軸の両方の軸回りに回転されるようにして配置されてもよい。
【０１６３】
ここで、３つの出射側偏光板４３のうち１つの出射側偏光板４３がＺ軸回りに回転されていてもよく、３つの出射側偏光板４３のうち２つの出射側偏光板４３がＺ軸回りに回転されていてもよい。あるいは、３つの出射側偏光板４３の全ての出射側偏光板４３がＺ軸回りに回転されていてもよい。
【０１６４】
また、３つの出射側偏光板４３のうち１つの出射側偏光板４３がＸ'軸、Ｘ''軸、Ｘ'''軸回りに回転されていてもよく、３つの出射側偏光板４３のうち２つの出射側偏光板４３がＸ'軸、Ｘ''軸、Ｘ'''軸回りに回転されていてもよい。あるいは、３つの出射側偏光板４３の全ての出射側偏光板４３がＸ'軸、Ｘ''軸、Ｘ'''軸回りに回転されていてもよい。
【０１６５】
また、３つの出射側偏光板４３のうち１つの出射側偏光板４３が両方の軸回りに回転されていてもよく、３つの出射側偏光板４３のうち２つの出射側偏光板４３が両方の軸回りに回転されていてもよい。あるいは、３つの出射側偏光板４３の全ての出射側偏光板４３が両方の軸回りに回転されていてもよい。
【０１６６】
［垂直軸回りに回転］
図１６は、第１の出射側偏光板４３Ｒ及び第３の出射側偏光板４３Ｂが、対向する側面に平行な状態から、Ｚ軸回りに回転された場合の一例を示す模式的な上面図である。図１６に示す例では、第１の出射側偏光板４３Ｒ及び第３の出射側偏光板４３Ｂは、クロスダイクロイックプリズム４５の第２の側面４５ｂから第４の側面４５ｄ（出射面）に向かう方向で、徐々に間隔が広がるように配置されている（つまり、Ｚ軸回りに逆回転）。
【０１６７】
図１６に示す光の動きについて説明する。なお、この光の動きは、図１３における（２）の光の動きに対応している。第２の出射側偏光板４３Ｇを通過した緑色光（白の矢印参照）は、クロスダイクロイックプリズム４５に進入し、第１のダイクロイック膜４６を透過した後、第２のダイクロイック膜４７に入射する。第２のダイクロイック膜４７は、緑色光を透過させるため、本来、緑色光は第２のダイクロイック膜４７を透過するが、一部の光が第２のダイクロイック膜４７によって反射される。第２のダイクロイック膜４７により反射された光は、第１の出射側偏光板４３Ｒの出射面側に入射する。
【０１６８】
第１の出射側偏光板４３Ｒの出射面側に入射した光は、第１の出射側偏光板４３Ｒの出射面側に形成されたワイヤ４８によって反射される。第１の出射側偏光板４３Ｒは、Ｚ軸回りに回転して配置されているため、第１の出射側偏光板４３Ｒに入射された光は、入射方向とは異なる方向に反射される。具体的には、第１の出射側偏光板４３Ｒに入射された光は、クロスダイクロイックプリズム４５の出射面側にずれて反射される。
【０１６９】
この光は、第２のダイクロイック膜４７を透過し、第１のダイクロイック膜４６を透過した後、第３の出射側偏光板４３Ｂに入射される。第３の出射側偏光板４３Ｂの出射面側に入射した光は、第３の出射側偏光板４３Ｂの出射面側に形成されたワイヤ４８によって反射される。第３の出射側偏光板４３Ｂは、Ｚ軸回りに回転して配置されているため、第３の出射側偏光板４３Ｂに入射された光は、クロスダイクロイックプリズム４５の出射面側に向かう方向の成分が増えるようにして反射される。そして、第３の出射側偏光板４３Ｂにより反射された光は、光路外に排出される。
【０１７０】
このように、第１の出射側偏光板４３Ｒ及び第３の出射側偏光板４３Ｂを、対向する側面に平行な状態から、Ｚ軸回りに回転することによって、適切に不要光を光路外に排出することができる。これにより、適切にゴーストの発生を防止することができる。
【０１７１】
なお、第１の出射側偏光板４３Ｒ及び第３の出射側偏光板４３ＢをＺ軸回りに回転させたとしても、これらをＺ軸回りに同じ向きに回転してしまうと、乱反射が繰り返されてしまうおそれがある。
【０１７２】
従って、図１６に示すように、第２の側面４５ｂから第４の側面４５ｄ（出射面）に向かう方向で、徐々に間隔が広がるように、第１の出射側偏光板４３Ｒ及び第３の出射側偏光板４３Ｂを配置することが有効である（つまり、Ｚ軸回りに逆回転）。なお、逆に、第４の側面４５ｄ（出射面）から第２の側面４５ｂに向かう方向で、徐々に間隔が広がるように、第１の出射側偏光板４３Ｒ及び第３の出射側偏光板４３Ｂを配置することもできる（つまり、Ｚ軸回りに逆回転）。この場合も同様の効果がある。
【０１７３】
［水平軸回りに回転］
図１７は、第１の出射側偏光板４３Ｒ及び第３の出射側偏光板４３Ｂが、対向する側面に平行な状態から、Ｘ'軸、Ｘ'''軸回りに回転された場合の一例を示す模式的な上面図である。図１８は、図１７における一例についての模式的な側面図である。なお、図１８では、第２の出射側偏光板４３Ｇを省略している。
【０１７４】
図１７及び図１８に示す例では、第１の出射側偏光板４３Ｒ及び第３の出射側偏光板４３Ｂは、その出射面（クロスダイクロイックプリズム４５に対応する側の面）がＺ軸方向で上側（同じ側）を向くようにして配置されている。
【０１７５】
図１７及び図１８に示す光の動きについて説明する。なお、この光の動きは、図１３における（２）の光の動きに対応している。第２の出射側偏光板４３Ｇを通過した緑色光（白の矢印参照）は、クロスダイクロイックプリズム４５に進入し、第１のダイクロイック膜４６を透過した後、第２のダイクロイック膜４７に入射する。第２のダイクロイック膜４７は、緑色光を透過させるため、本来、緑色光は第２のダイクロイック膜４７を透過するが、一部の光が第２のダイクロイック膜４７によって反射される。第２のダイクロイック膜４７により反射された光は、第１の出射側偏光板４３Ｒの出射面側に入射する。
【０１７６】
第１の出射側偏光板４３Ｒの出射面側に入射した光は、第１の出射側偏光板４３Ｒの出射面側に形成されたワイヤ４８によって反射される。第１の出射側偏光板４３Ｒは、Ｘ'軸回りに回転して配置されているため、第１の出射側偏光板４３Ｒに入射された光は、Ｚ軸方向で入射方向とは異なる方向に反射される。具体的には、第１の出射側偏光板４３Ｒに入射された光は、上方に向けて反射される。
【０１７７】
この光は、第２のダイクロイック膜４７を透過し、第１のダイクロイック膜４６を透過した後、第３の出射側偏光板４３Ｂに入射される。第３の出射側偏光板４３Ｂの出射面側に入射した光は、第３の出射側偏光板４３Ｂの出射面側に形成されたワイヤ４８によって反射される。第３の出射側偏光板４３Ｂは、Ｘ'''軸回りに回転して配置されているため、第３の出射側偏光板４３Ｂに入射された光は、上方へ向かう成分が増えるようにして反射される。そして、第３の出射側偏光板４３Ｂにより反射された光は、光路外に排出される。
【０１７８】
このように、第１の出射側偏光板４３Ｒ及び第３の出射側偏光板４３Ｂを、対向する側面に平行な状態から、Ｘ'軸、Ｘ'''軸回りに回転することによって、適切に不要光を光路外に排出することができる。これにより、適切にゴーストの発生を防止することができる。
【０１７９】
なお、第１の出射側偏光板４３Ｒ及び第３の出射側偏光板４３ＢをＸ''軸、Ｘ'''軸回りに回転させたとしても、その出射面がＺ軸方向で異なる側を向くようにして配置されていると、乱反射が繰り返されてしまうおそれがある。
【０１８０】
従って、図１７及び図１８に示すように、第１の出射側偏光板４３Ｒ及び第３の出射側偏光板４３Ｂを、その出射面がＺ軸方向で上側（同じ側）を向くようにして配置することが有効である。逆に、第１の出射側偏光板４３Ｒ及び第３の出射側偏光板４３Ｂを、その出射面がＺ軸方向で下側（同じ側）を向くようにして配置することもできる。この場合も同様の効果がある。
【０１８１】
なお、全ての出射側偏光板４３を、その出射面がＺ軸方向で同じ側を向くように配置することも可能である。この場合、ゴーストの発生を防止する効果がさらに高くなる。
【０１８２】
［両方の軸回りに回転］
図１９は、第１の出射側偏光板４３Ｒ、第２の出射側偏光板４３Ｇ及び第３の出射側偏光板４３Ｂが、対向する側面に平行な状態から、両方の軸回りに回転された場合の一例を示す模式的な上面図である。
【０１８３】
図１９では、第１の出射側偏光板４３Ｒ及び第３の出射側偏光板４３Ｂは、クロスダイクロイックプリズム４５の第２の側面４５ｂから第４の側面４５ｄ（出射面）に向かう方向で、徐々に間隔が広がるように配置されている（つまり、Ｚ軸回りに逆回転）。また、第２の出射側偏光板４３Ｇは、Ｚ軸回りで、第１の出射側偏光板４３Ｒと同じ方向に回転されている（逆も可）。
【０１８４】
さらに、図１９に示す例では、第１の出射側偏光板４３Ｒ、第２の出射側偏光板４３Ｇ及び第３の出射側偏光板４３Ｂは、その出射面がＺ軸方向で上側（同じ側）を向くようにして配置されている（下側を向くようにしてもよい）。
【０１８５】
図１９に示す光の動きについて説明する。なお、この光の動きは、図１４における（１）の光の動きに対応している。第２の出射側偏光板４３Ｇを通過した緑色光（白の矢印参照）は、クロスダイクロイックプリズム４５に進入し、第１のダイクロイック膜４６に入射する。第１のダイクロイック膜４６は、緑色光を透過させるため、本来、緑色光は第１のダイクロイック膜４６を透過するが、一部の光が第１のダイクロイック膜４６によって反射される。第１のダイクロイック膜４６により反射された光は、第２のダイクロイック膜４７を透過し、第３の出射側偏光板４３Ｂの出射面側に入射する。
【０１８６】
第３の出射側偏光板４３Ｂの出射面側に入射した光は、第３の出射側偏光板４３Ｂの出射面側に形成されたワイヤ４８によって反射される。第３の出射側偏光板４３Ｂは、Ｚ軸回りに回転して配置されているため、第３の出射側偏光板４３Ｂに入射された光は、クロスダイクロイックプリズム４５の出射面側にずれて反射される。さらに、第３の出射側偏光板４３Ｂは、Ｘ'''軸回りに回転して配置されているため、第１の出射側偏光板４３Ｒに入射された光は、上方に向けて反射される。
【０１８７】
この光は、第２のダイクロイック膜４７を透過した後、第１のダイクロイック膜４６に入射される。第１のダイクロイック膜４６は、緑色光を透過させるため、本来、緑色光は第２のダイクロイック膜４７を透過するが、一部の光が第１のダイクロイック膜４６によって反射される。
【０１８８】
第１のダイクロイック膜４６によって反射された光は、第２の出射側偏光板４３Ｇの出射面側に入射する。第２の出射側偏光板４３Ｇの出射面側に入射した光は、第２の出射側偏光板４３Ｇの出射面側に形成されたワイヤ４８によって反射される。第２の出射側偏光板４３Ｇは、Ｚ軸回りに回転して配置されているため、第３の出射側偏光板４３Ｂにより入射された光は、クロスダイクロイックプリズム４５の第１の側面４５ａ側にずれて反射される。また、第２の出射側偏光板４３Ｇは、Ｘ''軸回りに回転して配置されているため、第２の出射側偏光板４３Ｇに入射された光は、上方へ向かう成分が増えるようにして反射される。そして、第２の出射側偏光板４３Ｇにより反射された光は、光路外に排出される。
【０１８９】
このように、第１の出射側偏光板４３Ｒ、第２の出射側偏光板４３Ｇ及び第３の出射側偏光板４３Ｂを、対向する側面に平行な状態から、両方の軸回りに回転することによって、適切に不要光を光路外に排出することができる。これにより、適切にゴーストの発生を防止することができる。特に、出射側偏光板４３が両方の軸回りに回転された場合、上下方向及び水平方向の両方の方向に向けて不要光を排出することができるため、有効である。
【０１９０】
［出射側偏光板４３を傾ける角度と、出射側偏光板４３のワイヤ４８の方向との関係］
次に、出射側偏光板４３を傾ける角度と、出射側偏光板４３のワイヤ４８の方向との関係について説明する。
【０１９１】
図２０は、これを説明するための図である。図２０に示すように、本実施形態では、出射側偏光板４３は、Ｘ'軸、Ｘ''軸又はＸ'''軸方向（第１の方向）に延在するように、且つ、Ｚ軸方向（第２の方向：第１の方向に直交する方向）に沿って並べられるように形成された複数のワイヤ４８を有している。
【０１９２】
ここで、不要光を光路外に排出するという観点からすると、出射側偏光板４３をできるだけ傾けた方がよい。一方、出射側偏光板４３を傾ける角度には限界がある。
【０１９３】
まず、出射側偏光板４３が、クロスダイクロイックプリズム４５の対向する側面に対して平行な状態から、Ｘ'軸、Ｘ''軸又はＸ'''軸を回転の中心軸として回転される場合について説明する。
【０１９４】
出射側偏光板４３を、Ｘ'軸、Ｘ''軸又はＸ'''軸回りに回転させていくと、光軸方向から見た場合における、見た目上のワイヤ４８同士の間隔が徐々に狭まっていく。このように、ワイヤ４８同士の間隔が狭まると、例えば、コントラストが向上するといったメリットがある。一方、出射側偏光板４３を、ある一定の角度（例えば、１５°程度）以上回転させてしまうと、今度は、出射側偏光板４３が有効に機能しなくなってしまうおそれがある。
【０１９５】
このため、Ｘ'軸、Ｘ''軸又はＸ'''軸回りに回転させる角度は、典型的には１５°未満とされる。
【０１９６】
次に、出射側偏光板４３が、クロスダイクロイックプリズム４５の対向する側面に対して平行な状態から、Ｚ軸を回転の中心軸として回転される場合について説明する。この場合、見た目上のワイヤ４８同士の間隔が徐々に狭まっていくようなことはなく、回転させる角度をある程度大きくしてもそれほど特性は変化しない。このため、例えば、出射側偏光板４３を４５°程度回転させることも可能である。
【０１９７】
つまり、出射側偏光板４３は、Ｚ軸回りに回転させる角度（対応する側面に対して傾く角度）を、Ｘ'軸、Ｘ''軸又はＸ'''軸回りに回転させる角度よりも大きく設定することができる。このように、Ｚ軸回りに回転させる角度をＸ'軸、Ｘ''軸又はＸ'''軸回りに回転させる角度よりも大きく設定することで、コントラストなどを向上させつつ（例えば、１５°未満であればコントラストの向上が見込める）、適切にゴーストを防止することができる。
【０１９８】
出射側偏光板４３を回転させる技術は、ライトバルブが反射型の液晶ライトバルブ４１である場合についても適用することができる。
【０１９９】
本技術は、以下の構成をとることもできる。
（１）冷却風を発生させる送風機構と、
液晶ライトバルブと、
前記送風機構によって吹き付けられる前記冷却風に対して非平行な方向に延在するように形成された複数のワイヤを有し、前記液晶ライトバルブの光の入射側に配置された入射側偏光板と、
前記送風機構によって吹き付けられる前記冷却風に対して非平行な方向に延在するように形成された複数のワイヤを有し、前記液晶ライトバルブの光の出射側に配置された出射側偏光板と
を具備するプロジェクタ。
（２）上記（１）に記載のプロジェクタであって、
前記入射側偏光板の出射面と、前記出射側偏光板の入射面との間に配置され、入射された光の偏光方向を変化させて出射する偏光変換板
をさらに具備するプロジェクタ。
（３）上記（２）に記載のプロジェクタであって、前記入射側偏光板の複数のワイヤが延在する方向、及び前記出射側偏光板の複数のワイヤが延在する方向は、前記冷却風に対して略直交する方向である
プロジェクタ。
（４）上記（２）又は（３）に記載のプロジェクタであって、
前記偏光変換板は、前記入射側偏光板の出射面又は前記液晶ライトバルブの入射面に設けられる
プロジェクタ。
（５）上記（４）に記載のプロジェクタであって、
前記偏光変換板は、前記入射側偏光板の出射面に設けられる
（６）上記（３）に記載のプロジェクタであって、
前記入射側偏光板及び前記出射側偏光板は、同一形状の部材により形成される
プロジェクタ。
【符号の説明】
【０２００】
１０・・・光源部
２０・・・画像生成部
４０・・・光学ユニット
４１・・・液晶ライトバルブ
４２・・・入射側偏光板
４３・・・出射側偏光板
４４・・・偏光変換板
４５・・・クロスダイクロイックプリズム
４６・・・第１のダイクロイック膜
４７・・・第２のダイクロイック膜
４８・・・ワイヤ
４９・・・溝
５０・・・冷却部
５１・・・送風機構
６０・・・投射部
７０・・・透過部材
７０ａ・・・機能性フィルタ
７０ｂ・・・代替用ガラス板
７２・・・ホルダ
８０・・・フィルタ保持部材
８１・・・フィルタ着脱部
１００・・プロジェクタ
【図１】
2016125221.tif 000003
【図２】
2016125221.tif 000004
【図３】
2016125221.tif 000005
【図４】
2016125221.tif 000006
【図５】
2016125221.tif 000007
【図６】
2016125221.tif 000008
【図７】
2016125221.tif 000009
【図８】
2016125221.tif 000010
【図９】
2016125221.tif 000011
【図１０】
2016125221.tif 000012
【図１１】
2016125221.tif 000013
【図１２】
2016125221.tif 000014
【図１３】
2016125221.tif 000015
【図１４】
2016125221.tif 000016
【図１５】
2016125221.tif 000017
【図１６】
2016125221.tif 000018
【図１７】
2016125221.tif 000019
【図１８】
2016125221.tif 000020
【図１９】
2016125221.tif 000021
【図２０】
2016125221.tif 000022
【国際調査報告】
2016125221.tif 000023
2016125221.tif 000024
2016125221.tif 000025
2016125221.tif 000026